(57)【特許請求の範囲】
【請求項１】
撮影部を備え、電池で駆動される携帯端末装置であって、
撮影データを記憶する記憶部と、
撮影データを無線通信で送信し、外部ビデオサーバへ記憶させる無線通信部と、
前記電池の残量を検出する電池残量検出部と、
前記記憶部の残容量を検出する記録残容量検出部と、を有し、
前記電池残量検出部で検出した前記電池の残量と、前記記録残容量検出部で検出した残容量を全て使い切るのに必要な前記電池の容量と、を比較し、該比較の結果、前記検出した前記電池の残量が前記必要な前記電池の容量より小さいときは、前記撮影データの記録先として前記記憶部を選定することを特徴とする携帯端末装置。
【請求項２】
撮影開始時に、前記電池残量検出部で検出した前記電池の残量と、前記必要な前記電池の容量以上の所定の値とを比較し、前記電池残量検出部で検出した前記電池の残量が前記所定の値以下のときは、前記撮影データの記録先として前記記憶部が推奨される旨を報知することを特徴とする請求項１に記載の携帯端末装置。
【請求項３】
現在の前記撮影データの記録先が前記外部サーバである場合に、前記電池残量検出部で検出した前記電池の残量と、前記必要な前記電池の容量以上の所定の値とを比較し、前記電池残量検出部で検出した前記電池の残量が前記所定の値以下になった場合に、前記記録先を前記記憶部にするよう切り替えることが推奨される旨を報知することを特徴とする請求項１または２に記載の携帯端末装置。
【請求項４】
前記残量検出部で検出した前記電池の残量及び前記記録残容量検出部で検出した残容量に基づいて、前記残容量を全て使い切るのに要する時間と、使い切った場合の電池の残量を算出し、
前記撮影データの記録先を前記外部サーバとしたときに、前記使い切った場合の電池の残量を全て使い切るのに要する時間を算出し、
前記残容量を全て使い切るのに要する時間と、前記電池の残量を全て使い切るのに要する時間との和から、前記撮影データを最も長く記録できるように前記記録先を変更した場合の撮影時間を予測することを特徴とする請求項１〜３のいずれか１項に記載の携帯端末装置。
【発明の詳細な説明】
【技術分野】
【０００１】
本発明は、携帯端末装置に関し、特に、動画を撮影し、撮影したデータをＷ−ＣＤＭＡ（Wideband Code Division Multiple Access）、ＨＳＤＰＡ（High Speed Downlink Packet Access）方式等の高速な公衆無線通信で、外部サーバに記録することができる携帯端末装置に関するものである。
【背景技術】
【０００２】
動画像を撮影、記録する方法としては、ビデオカメラを用いてそれに実装されたテープ、光ディスク、フラッシュメモリ等の記録素子、記録媒体に保存するものが一般的である。一方、第３世代以降の携帯電話システムでは、その高速な公衆無線網を利用しての大容量の動画通信（テレビ電話等）が可能となっている。
【０００３】
近年、技術の進歩により高画質・高精細な映像を撮影できるビデオカメラが一般化してきているが、ハイビジョン映像を十分に長い時間保存できる大容量かつ低コストの記録素子、記録媒体の実現は難しく、使用者の負担となっている。
また、Youtubeなどの動画投稿サイトの流行で、映像をインターネット上で共有する楽しみ方が提案され、撮影した映像を直接ネットワーク上にアップロードする機能がユーザにとって非常に有益な物となりつつある。
【０００４】
これらの技術的背景から、大容量の画像・映像を高速無線通信によって外部に記録しようという発明が提案されている。
特許文献１には、記録媒体（メモリカード）の中に通信機能を組み込み、それ自体の残りの記録容量が閾値を超えること等をきっかけに外部ビデオサーバとの通信を開始し、電池と転送先のストレージ容量の許す限り画像の撮影・記録を行うことができる発明が開示されている。また、特許文献２には、動画撮影において基本的に無線通信によって外部ビデオサーバに映像データを格納するが、その時の無線の通信状態・品質によっては一時的に撮影システム内部のバッファにデータを記録しておき、通信状態・品質の改善を待って転送を再開することで、画像を劣化させることなく長時間の撮影を実現する発明が開示されている。
【特許文献１】特開２００４−２１３４８７号公報
【特許文献２】特開２００７−１６５９６９号公報
【発明の開示】
【発明が解決しようとする課題】
【０００５】
しかしながら、高画質・高精細な大容量の映像データを高速に無線伝送する場合、携帯端末装置が有する記録素子・記録媒体に記録する場合に比べ、電力の消耗が非常に激しい。電池で駆動する携帯端末装置において撮影した映像を大量に無線で伝送すると、無線通信に電力を消費した結果、短い時間で電力が失われてしまい撮影が不可能となってしまうことがあった。
また、電池容量はその重量に比例する関係にあり、単純に電池容量を増加させると機器の携帯性を損なってしまう。
【０００６】
本発明は、上述のような実情を考慮してなされたものであり、無線通信の使い過ぎによる電力の浪費を防止し、出来得る限り長時間の撮影を可能とする携帯端末装置を提供することを目的とする。
【課題を解決するための手段】
【０００７】
上記課題を解決するために、本発明の第１の技術手段は、撮影部を備え、電池で駆動される携帯端末装置であって、撮影データを記憶する記憶部と、撮影データを無線通信で送信し、外部ビデオサーバへ記憶させる無線通信部と、前記電池の残量を検出する電池残量検出部と、前記記憶部の残容量を検出する記録残容量検出部と、を有し、前記電池残量検出部で検出した前記電池の残量と、前記記録残容量検出部で検出した残容量を全て使い切るのに必要な前記電池の容量と、を比較し、該比較の結果、前記検出した前記電池の残量が前記必要な前記電池の容量より小さいときは、前記撮影データの記録先として前記記憶部を選定することを特徴としたものである。
【００１０】
第２の技術手段は、第１の技術手段において、撮影開始時に、前記電池残量検出部で検出した前記電池の残量と、前記必要な前記電池の容量以上の所定の値とを比較し、前記電池残量検出部で検出した前記電池の残量が前記所定の値以下のときは、前記撮影データの記録先として前記記憶部が推奨される旨を報知することを特徴としたものである。
【００１１】
第３の技術手段は、第１または２の技術手段において、現在の前記撮影データの記録先が前記外部サーバである場合に、前記電池残量検出部で検出した前記電池の残量と、前記必要な前記電池の容量以上の所定の値とを比較し、前記電池残量検出部で検出した前記電池の残量が前記所定の値以下になった場合に、前記記録先を前記記憶部にするよう切り替えることが推奨される旨を報知することを特徴としたものである。
【００１２】
第４の技術手段は、第１乃至第３のいずれか１の技術手段において、前記残量検出部で検出した前記電池の残量及び前記記録残容量検出部で検出した残容量に基づいて、前記残容量を全て使い切るのに要する時間と、使い切った場合の電池の残量を算出し、前記撮影データの記録先を前記外部サーバとしたときに、前記使い切った場合の電池の残量を全て使い切るのに要する時間を算出し、前記残容量を全て使い切るのに要する時間と、前記電池の残量を全て使い切るのに要する時間との和から、前記撮影データを最も長く記録できるように前記記録先を変更した場合の撮影時間を予測することを特徴としたものである。
【発明の効果】
【００１３】
本発明の携帯端末装置によれば、無線通信の使い過ぎによる電力の浪費を防止し、携帯端末装置が有する記憶装置を利用すれば長時間の記録が行える場合、その残量を使い切るようにすることで、出来得る限り長時間の撮影を可能とすることができる。
【発明を実施するための最良の形態】
【００１４】
本発明に係る携帯端末装置は、映像を撮像して電気信号である映像信号に変換し、この信号を、自身の記憶装置または当該携帯端末装置と無線通信可能に接続された装置の記憶装置に記録する電池駆動の携帯型撮像記録装置である。本発明に係る携帯端末装置の機能は、携帯型ビデオカメラや携帯電話等に適用することができる。
以下、本発明に係る携帯端末装置の実施形態について、図面に基づいて具体的に説明する。
【００１５】
図１は、本発明に係る携帯端末装置が用いられるビデオ撮影システムのシステムブロック図である。ここで言うビデオ撮影システムとは、撮影機能を有する携帯端末装置１０、携帯端末装置１０が無線装置１４を介してデータの送受信を行う外部ビデオサーバ２０、及び、携帯端末装置１０‐外部ビデオサーバ２０間の通信経路（公衆無線網Ｎ１）を合わせたものを指す。
【００１６】
まず、携帯端末装置１０の基本的な構成について説明する。
携帯端末装置１０は、電池１６で駆動する装置であり、図１に示すように、制御部１１、撮影装置１２、記憶装置１３、無線装置１４、ユーザインタフェース（Ｉ／Ｆ）１５を備える。
【００１７】
制御部１１は、記憶装置１３等に記憶された制御プログラムや各種アプリケーションプログラムを実行することによって、携帯端末装置１０全体を制御するものであり、演算を行うＣＰＵ及び演算に伴う一時的な情報を記憶するＲＡＭ等からなる。
撮影装置１２は、例えば、映像を撮像するＣＣＤ（Charge Coupled Device）等からなる撮像部を有し、映像データを取得する。撮影装置１２で取得した映像データは、制御部１１の圧縮手段等により、所定のフォーマット（ＭＰＥＧ（Moving Picture Expert Group）−２等）に従って圧縮される。
【００１８】
記憶装置１３は、圧縮された映像データを記憶するもので、ハードディスクや取り外し可能なＤＶＤ及びフラッシュメモリ等の記録媒体／記録素子からなる。記憶装置１３は、圧縮後の映像データだけでなく、撮影装置１２からの非圧縮の映像データの記憶も可能としておくとよい。また、記憶装置１３は、携帯端末装置１０に内蔵されてもよいし、外部接続されてもよい。
なお、本明細書では、携帯端末装置１０に内蔵された記憶装置１３に撮影データを記録する状態で撮影を行う場合を「記憶装置記録撮影モード」又は「内部記録撮影モード」という。
【００１９】
ここで、携帯端末装置１０が撮像した映像データを記憶する、記憶装置１３以外の記憶手段である外部ビデオサーバ２０について説明する。
外部ビデオサーバ２０は、公衆無線網Ｎ１等の通信経路を通じて携帯端末装置１０と情報の送受信が行え、携帯端末装置１０で撮影した映像データを、自身に内蔵、もしくは接続されたストレージに保存することができる。
なお、本明細書では、携帯端末装置１０の無線装置１４を通じて外部ビデオサーバ２０に撮影データを記録する状態で撮影を行う場合を「無線記録撮影モード」又は「外部記録撮影モード」という。
【００２０】
携帯端末装置１０の基本構成の説明に戻る。
携帯端末装置１０の無線装置１４は、別途設置された外部ビデオサーバ２０と携帯端末装置１０の間で、公衆無線網Ｎ１を通じて、情報の送受信が行えるようにするものである。また、無線装置１４は、携帯端末装置１０に内蔵されてもよいし、外部接続されてもよい。携帯端末装置１０で撮像した映像データは、ユーザの選択等に応じて、無線装置１４及び公衆無線網（なお、本実施形態では公衆無線網による接続であるとするが、インターネット等その他のネットワークによる無線接続であっても構わない）Ｎ１を介して、外部ビデオサーバ２０に送信され、当該サーバ２０のストレージに記録される。このように、無線装置１４は、制御部１１と協働して、撮影データを無線通信で送信し外部ビデオサーバ２０に記憶させる無線通信部となる。
【００２１】
ユーザＩ／Ｆ１５は、制御部１１の制御によって、撮影装置１２の撮像部で撮像された映像データをリアルタイムで表示したり、記憶装置１３から読み出された映像データを表示したりする表示装置１５ａを有する。表示装置１５ａには、ユーザの操作のために必要な情報も表示される。また、ユーザＩ／Ｆ１５は、操作パネル等の入力装置１５ｂを有する。ユーザは、このユーザＩ／／Ｆ１５を介しては、撮影モードの選択の他、映像データの圧縮形式の選択等も行うことができる。
【００２２】
以上のような構成により、本携帯端末装置１０は、ユーザがユーザＩ／Ｆ１５を介して選択した撮影モードで映像を撮影・記録することができる。すなわち、選択した記録先の記憶装置１３または外部ビデオサーバ２０に、撮影装置１２で取得した映像データを記録することができる。
【００２３】
次に、携帯端末装置１０の特徴的な構成について説明する。
携帯端末装置１０は、電池１６の残量Ｖ０及び記憶装置１３にこれから記憶できる量（記録残量や空き容量、残容量等ともいう）に応じて、動作することに特徴がある。そのため、携帯端末装置１０は、電池残量検出部１７と記憶装置残容量検出部（以下、記録残容量検出部という）１８を備え、上述の制御部１１が後述の記憶装置記録モード撮影可能時間の予測や記憶装置最大記録必要電池容量の予測を行う。
【００２４】
電池残量検出部１７は、電池１６の残量を取得する。上記残量の取得は、例えば、電池１６の電圧値と電流値を検出する回路を設ける等して計算するようにしておけばよい。記録残容量検出部１８は、記憶装置１３の残容量を検出・取得する。
【００２５】
制御部１１は、記録残容量検出部１８で取得した記憶装置１３の残容量に基づいて、記憶装置記録撮影モード撮影可能時間Ｔ１を予測し取得する。なお、記憶装置記録撮影モード撮影可能時間Ｔ１とは、撮影した映像データを記憶装置１３に記録するようにした場合の記録できる最大の時間である。この予測は、例えば、取得した記憶装置１３の残容量から、映像データの時間当たりのデータ容量（データの圧縮形式は、ユーザにより選択されていたり、予め定められている）に関する情報に基づいて行われる。
【００２６】
制御部１１は、取得した記憶装置記録撮影モード撮影可能時間Ｔ１に基づいて、記憶装置最大記録必要電池容量Ｖ１を予測し取得する。なお、記憶装置最大記録必要電池容量Ｖ１とは、上記撮影可能時間Ｔ１に渡って記憶装置記録撮影モードで撮影するために必要な電池容量である。この予測は、例えば、取得した記憶装置記録撮影モード撮影可能時間Ｔ１から、予め定められた、当該モードにおける時間当たりの消費電力に基づいて行われる。
【００２７】
そして、制御部１１は、電池残量検出部１７が取得している現在の電池１６の残量Ｖ０と、取得した記憶装置最大記録必要電池容量Ｖ１とに基づいて、次のように、撮影データの記録先として記憶装置１３又は外部ビデオサーバ２０を選定する。
【００２８】
制御部１１は、例えば、撮影開始時に、電池１６の残量Ｖ０と記憶装置最大記録必要電池容量Ｖ１を比較し、Ｖ０がＶ１以下の場合は、記憶装置記録撮影モードで撮影する（すなわち、撮影データの記録先として記憶装置１３を選定する）ようにする。これにより、無線通信を行うために消費電力の大きい無線記録撮影モードで撮影・記録するよりも長時間の撮影・記録を行うことができる。
【００２９】
また、無線記録撮影モードで撮影中の場合、Ｖ０がＶ１以下になると、自動的に、撮影モードを記憶装置記録撮影モードに切り替えて（すなわち、記録先を外部ビデオサーバ２０から記憶装置１３に切り替えて）撮影を継続する。これにより、ユーザが電池残量や記憶装置の残容量を意識せずとも、記憶装置の残容量を使い切るように、消費電力の少ない記憶装置記録撮影モードに自動的に切り替えることができるので、無線通信を行うために消費電力の大きい無線記録撮影モードで撮影・記録しつづけるよりも長時間の撮影・記録を行うことができる。
【００３０】
なお、無線記録撮影モードから記憶装置記録撮影モードに切り替える際は、以下のようにしてもよい。まず、制御部１１は、無線記録撮影モードの場合に、現在の電池１６の残量Ｖ０と、記憶装置最大記録必要電池容量Ｖ１とに基づいて、Ｖ０−Ｖ１により、最大記憶装置撮影記録後の電池残量Ｖ２を予測する。そして、予測した最大記憶装置撮影記録後の電池残量Ｖ２が０以下の場合に、記憶装置記録撮影モードに撮影モードを自動的に切り替える。また、このように最大記憶装置撮影記録後の電池残量Ｖ２を取得しておけば、後述の最大撮影可能時間Ｔ２を取得することができる。
【００３１】
また、制御部１１は、記憶装置記録撮影モード撮影可能時間Ｔ１と最大記憶装置撮影記録後の電池残量Ｖ２とから、最大撮影可能時間（最も長く撮影できるよう撮影モードを切り替えた場合の撮影時間）Ｔ２を予測できる。例えば、予め定められた、無線記録撮影モードにおける時間当たりの消費電力に基づいて、最大記憶装置撮影記録後の電池残量Ｖ２を使い切るのに必要な時間（すなわち、後述の内部記録撮影後外部記録撮影可能時間）Ｔ３を算出し、算出したものを記憶装置記録撮影モード撮影可能時間Ｔ１に加算したものが、最大撮影可能時間Ｔ２となる。
【００３２】
図２は、無線記録撮影モードから記憶装置記録撮影モードへの切替え処理を含む、携帯端末装置１０における撮影動作中の処理の一例を示す図である。
携帯端末装置１０は、撮影動作中、一定期間毎に、図２のフローチャートに示すような残り撮影時間（最大撮影可能時間Ｔ２等）の予測処理や撮影モードの切替動作を行うことができる。
【００３３】
携帯端末装置１０の制御部１１は、撮影動作中、図２に示すように、記録残容量検出部１８と電池残量検出部１７を用いて、記憶装置１３の残容量及び電池残量を計測（取得）する（ステップＳ１０）。
また、制御部１１は、取得した記録残容量及び電池残量から、上述のように、最大撮影可能時間Ｔ２、最大記憶装置撮影記録後の電池残量（記憶装置記録撮影モードで、記憶装置１３の現在の残容量を全て使い切るまで撮影した場合の電池残量）Ｖ２を予測し取得する（ステップＳ１１）。
【００３４】
そして、取得した最大撮影可能時間Ｔ２を表示装置１５ａに最大撮影可能予想時間として表示してユーザに報知する（ステップＳ１２）。なお、上述の記憶装置記録撮影モード撮影可能時間と、無線記録撮影モード撮影可能時間（すなわち無線記録撮影モードで電池残量を使い切るために要する時間）を算出し、記憶装置記録撮影モード最大撮影可能予想時間及び無線記録撮影モード最大撮影可能予想時間として、最大撮影可能予想時間と併せて表示装置１５ａに表示してもよい。
【００３５】
ステップＳ１３では、現在の撮影モードが無線記録撮影モードか記憶装置記録撮影モードかを判断する。判断の結果、携帯端末装置１０が現在、無線記録撮影モードで撮影等を行っていた場合（図の「無線記録撮影モード」の場合）、制御部１１は、最大記憶装置撮影記録後の電池残量Ｖ２が０以下か否かを判断する（ステップＳ１４）。
【００３６】
ステップＳ１４において、最大記憶装置撮影記録後の電池残量Ｖ２が０以下であった場合（ＹＥＳの場合）、記憶装置１３の残容量が０もしくは一定値（撮影が難しいほど少ない値）以下であるかを判断する（ステップＳ１５）。ステップＳ１５における判断の結果、記憶装置１３の残容量が０もしくは一定値以下でなかった場合（ＮＯの場合）、撮影モードを無線記録撮影モードから記憶装置記録記録撮影モードへ切替え（ステップＳ１６）、ステップＳ１７に移行する。これにより、携帯端末装置１０の記憶装置１３の残容量を使い切ればまだまだ長時間の撮影が可能であるにもかかわらず、無線記録撮影モードで早く電力量を消費してしまい、撮影ができなくなってしまうことを防ぐことができる。
【００３７】
ステップＳ１５において、記憶装置１３の残容量が０もしくは一定値（撮影が難しいほど少ない値）以下であった場合（ＹＥＳの場合）、撮影動作を終了する。この場合、電池１６の残量が０や一定値になるまで、無線記録撮影モードで撮影動作を継続していてもよい。
【００３８】
ステップＳ１７では、電池１６の残量が撮影継続が難しいほど少なくなったか否かを判断する。判断の結果、少なくなかった場合（ＮＯの場合）は撮影を継続し、少なかった場合（ＹＥＳの場合）は、撮影を終了する。このとき、撮影したビデオの閲覧など、撮影動作以外の機能が全く使えなくなることのないよう、電池の残量が予め設定された一定量より少なくなった時点で撮影終了するようにしてもよい。また、ユーザから撮影終了の操作が行われたときも、撮影装置１２を停止し、撮影を終了する。
【００３９】
また、ステップＳ１３において、携帯端末装置１０が現在、記憶装置記録撮影モードで撮影等を行っていた場合（図の「記憶装置記録撮影モード」の場合）、制御部１１は、記憶装置１３の残容量が０もしくは一定値以下になったか否かを判断する（ステップＳ１８）。記憶装置１３の残容量が０もしくは一定値以下でなかった場合（ＮＯの場合）、撮影動作を継続する。
【００４０】
携帯端末装置１０は、無線通信状態を監視したり外部ビデオサーバ２０の残容量の情報を取得したりして外部ビデオサーバ２０への記録が正常に行える状態にあるかを判断する正常記録可否判断手段を有している。ステップＳ１８において上記残容量が０もしくは一定値以下であった場合（ＹＥＳの場合）、この正常記録可否判断手段を用いて、外部ビデオサーバ２０への記録が正常に行える状態にあるか否かを判断する（ステップＳ１９）。すなわち、無線通信状態の悪化、外部ビデオサーバ２０への残容量がなくなるなどして、携帯端末装置１０が外部ビデオサーバ２０への記録が正常に行えない状態に陥っていないかを判断する。
【００４１】
ステップＳ１９において、外部ビデオサーバ２０への記録が正常に行える状態にある場合（ＹＥＳの場合）は、ステップＳ１６に処理を移行し、記憶装置記録撮影モードから無線記録撮影モードへ撮影モードを切り替えたりする。これにより、記憶装置１３の残容量がなくなっても、ユーザの手を煩わすことなく撮影を継続することができる。
一方、ステップＳ１９において、外部ビデオサーバ２０への記録が正常に行える状態にない場合（ＮＯの場合）は、撮影モードを切り替えずに撮影動作を終了する。これにより、撮影モードを無駄に切り替えることを防ぐことができる。
【００４２】
上記ステップＳ１９は、このように、記憶装置記録撮影モードから無線記録撮影モードへの切替え判定ステップとなる。このステップにおいて用いられる、無線記録撮影モードへ切り替えを行う際のトリガとなる記憶装置１３の残容量は、ユーザが予め任意に設定できてもよい。
【００４３】
また、ステップＳ１４において、最大記憶装置撮影記録後の電池残量Ｖ２が０以下になっていなかった場合（ＮＯの場合）、すなわち、無線記録撮影モードの方が長時間の撮影・録画に好ましい場合も、上述の正常記録可否判断手段を用いて、外部ビデオサーバ２０への記録が正常に行える状態にあるか否かを判断する（ステップＳ２０）とよい。このように構成すれば、ステップＳ２０において外部ビデオサーバ２０への記録が正常に行えない状態であった場合（ＹＥＳの場合）、無線記録撮影モードのまま撮影動作を継続するが、記録が正常に行えない場合（ＮＯの場合）は、ステップＳ１５に処理を移行して、記憶装置１３の残容量に応じて、記憶装置記録撮影モードへ切替えを行うことができる。
【００４４】
図３は、携帯端末装置１０における撮影準備処理の一例を示す図である。携帯端末装置１０は、ユーザにより撮影開始の操作が行われると、制御部１１が撮影装置１２を起動し、図２のフローチャートに示すような撮影準備動作を開始する。
【００４５】
まず、携帯端末装置１０の制御部１１は、表示装置１５ａを用いて記憶装置記録撮影モード・無線記録撮影モードのどちらで撮影を開始するのかユーザに入力装置１５ｂを用いて選択するよう促す（ステップＳ３０）。その結果、ユーザにより撮影モードが選択された場合（図の「記憶装置記録撮影モード」の場合や「無線記録撮影モード」の場合）は、選択された撮影モードで、撮影動作を開始する。
なお、ステップＳ３０において撮影モードを選択するよう促す際に、携帯端末装置１０がユーザの撮影希望時間に合わせて撮影モードを判断する処理を実行するための「おまかせ」ボタンを、ユーザが選択できるようにしてもよい。
【００４６】
ステップＳ３０において、上記「おまかせ」ボタンが押下された場合や、ユーザが特にどちらかの撮影モードを選択しなかった場合（「おまかせ」の場合）、制御部１１は、撮影希望時間（最低限撮影したい時間）を入力装置１５ｂを用いて入力するよう、表示装置１５ａ等を用いてユーザに促す（ステップＳ３１）。ここで有効な値が入力されなかった場合（ステップＳ３２，ＮＯ）、無線記録撮影モードで撮影動作を開始する。なお、ここでは、上記の場合に、無線記録撮影モードの代わりに記憶装置記録撮影モードで撮影動作を開始してもよい。
【００４７】
有効な値が入力された場合（ステップＳ３２，ＹＥＳ）、制御部１１は、まず、記録残容量検出部１８と電池残量検出部１７を用いて、記録残容量（記録素子残量）及び電池の残量（電力量）を計測する（ステップＳ３３）。
制御部１１は、計測された記録残容量及び電池の残量から、上述のように、最大撮影可能時間Ｔ２を予測し取得する（ステップＳ３４）。
【００４８】
そして、ユーザにより入力された値がこの最大撮影可能時間Ｔ２の値を上回っているか否か判断し（ステップＳ３５）、上回っておらずユーザの希望を満たせる場合（ＮＯの場合）、無線記録撮影モードで撮影動作を開始する。これによって、ユーザは、記憶装置１３の残容量及び電池１６の残量を意識することなく、希望する時間分の撮影が行えることを確認してでき、安心して撮影を開始することができる。なお、上記の場合に、無線記録撮影モードの代わりに記憶装置記録撮影モードで撮影動作を開始してもよい。
【００４９】
また、ステップＳ３５において、ユーザにより入力された値がこの最大撮影可能時間Ｔ２の値を上回っている場合（ユーザの希望を満たせない場合、ＹＥＳの場合）、表示装置１５ａを用いてユーザに警告を発し、撮影準備動作を終了する。
【００５０】
なお、上述の例では、ステップＳ３２において入力値が無効であった場合、ユーザの簡便性を考慮して、どちらかの撮影モードで撮影動作を開始していたが、例えば、それに代えて上記最低限撮影したい時間の再入力を促すようにしてもよい。また、上述の例では、ステップＳ３５においてユーザにより入力された値が最大撮影可能時間Ｔ２の値を上回っている場合、警告を発していたが、警告の後等にどちらかの撮影モードで撮影動作を開始するようにしてもよい。
【００５１】
このようにどちらかの撮影モードで撮影動作を開始する際は、強制的に片方の撮影モード（ステップＳ３２の場合では無線記録撮影モード）で起動するようにしてもよいが、また、以前に使用していた撮影モードで起動するようにしてもよいし、例えば、ユーザに配慮したアルゴリズムを用いて、記憶装置記録撮影モードで現在の記憶装置１３の残容量を全て使い切るまで撮影した場合の撮影可能時間を測定し、一定の時間を上回っていたら記憶装置記録撮影モードで起動するようになっていてもよい。
【００５２】
なお、撮影モードの切替えや、最大撮影可能時間Ｔ２の表示等のために用いられる最大記憶装置撮影記録後の電池残量Ｖ２及び最大撮影可能時間Ｔ２の予測方法は、上述に限られない。図２のステップＳ１１における最大記憶装置撮影記録後の電池残量Ｖ２及び最大撮影可能時間Ｔ２の予測・取得処理（予測アルゴリズム）のうち高精度のものの一例を、図４のフローチャートを用いて説明する。
【００５３】
図４の予測処理では、予め経験則に基づくデータベースから、記憶装置記録撮影モードでの平均消費電力Ｐ１と、無線記録撮影モードでの平均消費電力Ｐ２を得ているが、まず、制御部１１は、取得（計測）した電池残量Ｖ０と、内蔵するタイマ部から取得した撮影開始から現在までの時間とから、現在のモードでの平均消費電力を計算し、現在のモードの消費電力（Ｐ１またはＰ２）を更新する（ステップＳ４０）。
【００５４】
そして、記憶装置記録撮影モード撮影可能時間Ｔ１と、記憶装置記録撮影モードで現在の残量を全て使いきるまで撮影した場合の電池残量Ｖ３とを、記憶装置記録撮影モードでの平均消費電力Ｐ１に基づいて予測する（ステップＳ４１）。
【００５５】
具体的には、例えば、まず、記憶記録撮影モード撮影可能時間Ｔ１を、選択されたフォーマット又は所定のフォーマットで単位時間当たりに必要な容量に関する情報に基づいて予測する。それと共に、記憶装置記録撮影モード撮影可能時間Ｔ１と記憶装置記録撮影モードでの平均消費電力Ｐ１に基づいて、記憶装置１３の現在の残容量を全て使い切るまで記憶装置記録撮影モードで撮影した場合に撮影に要する電池容量（記憶装置最大記録必要電池容量）Ｖ１を算出する。記憶装置最大記録必要電池容量Ｖ１は以下の式で表すことができる。
記憶装置最大記録必要電池容量Ｖ１＝記憶装置記録撮影モード撮影可能時間Ｔ１×
記憶装置記録撮影モードでの平均消費電力Ｐ１
【００５６】
そして、算出した記憶装置最大記録必要電池容量Ｖ１と現在の電池残量Ｖ０に基づいて、無線記録撮影モードで現在の残量を全て使いきるまで撮影した場合の電池残量Ｖ３を予測する。上記電池残量Ｖ３は、以下の式で表すことができる。
電池残量Ｖ３＝現在の電池残量Ｖ０−記憶装置最大記録必要電池容量Ｖ１
【００５７】
そして、制御部１１は、予測された電池残量Ｖ３と、無線記録撮影モードの平均消費電力Ｐ２に基づいて、記憶装置記録撮影モードで現在の記録残容量を全て使い切るまで撮影した後に無線記録撮影モードで撮影できる時間（内部記録撮影後外部記録撮影可能時間）Ｔ３を予測する（ステップＳ４２）。内部記録撮影後外部記録撮影可能時間Ｔ３は、以下の式で表すことができる。
内部記録撮影後外部記録撮影可能時間Ｔ３＝電池残量Ｖ３／
無線記録撮影モードの平均消費電力Ｐ２
【００５８】
そして、制御部１１は、以下の式に基づいて、最大撮影可能（予測）時間Ｔ２と最大記憶装置撮影記録後の電池残量Ｖ２の電池残量を決定する（ステップＳ４３）。
最大撮影可能（予測）時間Ｔ２＝記憶装置記録撮影モード撮影可能時間Ｔ１＋
内部記録撮影後外部記録撮影可能時間Ｔ３
最大記憶装置撮影記録後の電池残量Ｖ２＝電池残量Ｖ３
【００５９】
以上のように、本携帯端末装置では、電池残量検出部（電源量検出部）で検出した電池残量（電源量）と、記録残容量検出部（記録量検出部）で検出した記録残容量（記録容量）を基に、撮影モードを自動的に選定したり切り替えたりすることができる。特に、無線記録撮影モードの場合に、現在の電池残量が記録残容量から求められる記憶装置最大記録必要電池容量Ｖ１より小さくなったとき（電池残量及び記録残容量から求められる最大記憶装置撮影記録後の電池残量Ｖ２が０以下になったとき）、撮影モードを自動的に切り替えることで、長時間の撮影を行うことができる。
【００６０】
また、検出した電池残量等に応じて撮影モード（記録先）を自動的に選定したり切り替えたりする前に、または、選定したり切り替えたりすることに代えて、表示装置を用いて、推奨する撮影モードや撮影モードの切替えが推奨されることをユーザに報知するようにしてもよい。つまり、例えば、無線記録撮影モードで撮影・記録を行っていた場合に、撮影モードを自動的に切り替える前に（すなわち、上記最大記憶装置撮影記録後の電池残量Ｖ２が、０以上の所定の値以下になったときに）、撮影モードを記憶装置記録撮影モードへの切替えが推奨される旨を表示装置に表示して報知してもよいし、また、例えば、撮影開始時に、上記最大記憶装置撮影記録後の電池残量Ｖ２が０以上の所定の値以下であるときに、撮影モードとして記憶装置記録撮影モードが推奨される旨を表示して報知してもよい。これらの場合は、ユーザから承諾を得てから選定や切替えを行うようにしてもよい。
【図面の簡単な説明】
【００６１】
【図１】本発明の携帯端末装置が用いられるビデオ撮影システムのシステムブロック図である。
【図２】本発明の携帯端末装置における撮影動作中の処理の一例を示す図である。
【図３】携帯端末装置における撮影準備処理の一例を示す図である。
【図４】最大記憶装置撮影記録後の電池残量及び最大撮影可能時間の高精度な予測・取得処理（予測アルゴリズム）の一例を説明するためのフローチャートである。
【符号の説明】
【００６２】
１０…携帯端末装置、１１…制御部、１２…撮影装置、１３…記憶装置、１４…無線装置、１５…ユーザインタフェース、１５ａ…表示装置、１５ｂ…入力装置、１６…電池、１７…電池残量検出部、１８…記憶装置残容量検出部（記録残容量検出部）、２０…外部ビデオサーバ。
【図１】
0004939386.tif 000002
【図２】
0004939386.tif 000003
【図３】
0004939386.tif 000004
【図４】
0004939386.tif 000005